(57)【特許請求の範囲】
【請求項１】
側端面を形成する左右一対に設けた側枠部材を有する構造枠体を具備するとともに前記側枠部材内部にそれぞれナット部材を設けた複数のパネルを、一方のパネルの側枠部材にボルト部材を該パネルの内側から外側へ貫通させ、該ボルト部材を隣接するパネルの側枠部材内部のナット部材のねじ孔にねじ込んで係わり合わせることにより該ボルト部材の頭部を前記一方のパネルの側枠部材に係止させた状態で連結するパネル連結構造において、
前記ボルト部材と一方のパネルに設けたナット部材との係わり合わせを退避可能に構成することを特徴とするパネル連結構造。
【請求項２】
一方のパネルに設けた前記ナット部材を、前記ボルト部材の挿入に伴い退避させ、他方のパネルに設けたナット部材に当該ボルト部材を係わり合わせて連結することを特徴とする請求項１記載のパネル連結構造。
【請求項３】
前記ナット部材を、前記ボルト部材挿入方向と直交する軸回りに回転させて退避させる回転部を設けたことを特徴とする請求項２記載のパネル連結構造。
【請求項４】
前記パネルの両側枠部材内部に設けたナット部材と、先端部にねじ山を有し、基端部にナット退避部を有するボルト部材とを具備し、このボルト部材の基端部と一方のパネルの側枠部材内部に設けたナット部材との係わり合わせを退避させると共に、このボルト部材の先端部を隣接するパネルの側枠部材内部のナット部材に係わり合わせて連結することを特徴とする請求項１記載のパネル連結構造。
【請求項５】
側端面を形成する左右一対に設けた側枠部材を有する構造枠体を具備するとともに前記側枠部材内部にそれぞれナット部材を設けた複数のパネルを連結してなる可動間仕切において、
互いに隣接するパネルのうち一方のパネルの側枠部材にボルト部材を該パネルの内側から外側へ貫通させ、該ボルト部材を他方のパネルのナット部材のねじ孔にねじ込んで係わり合わせることにより該ボルト部材の頭部を前記一方のパネルの側枠部材に係止させて連結し、前記ボルト部材と前記一方のパネルに設けたナット部材との係わりあわせを退避可能に構成していることを特徴とする可動間仕切。
【請求項６】
前記ナット部材を、前記ボルト部材挿入方向と直交する軸回りに回転させて退避させる回転部を設けたことを特徴とする請求項５記載の可動間仕切。
【発明の詳細な説明】
【０００１】
【発明の属する技術分野】
本発明は、複数のパネルを連結するための構造等に関するものである。
【０００２】
【従来の技術】
従来、例えば、展示会場などのブースを区切るために使用されるパネルには、このパネルの左右の側端面を形成する側枠部材と、これらの側枠部材を連結する複数の横枠部材とによって構造枠体を形成し、この構造枠体の表裏面にパネル要素を填めて構成するものや、内部コアの表裏面にパネル要素を張り付けて一体的に構成するものなどが存在する。また、この種類のパネルは、複数枚のパネルを隣接方向に取り付けて可動間仕切として使用するのが通例であり、一方のパネルの側枠部材にナット部材を設けると共に、他方の側枠部材からボルト部材を挿入して前記ナット部材に係わり合わせることで隣接するパネルを連結し、所望の大きさの壁面を形成できるものである。更に、パネルの左右いずれか一方の側枠部材にナット部材を事前に溶接等によって設けておくことで、ナット部材を取付箇所に手で保持しておく手間を無くし、また、このナット部材の紛失をも防止することで、二枚のパネルを簡易に連結できるようにするものも考えられている。
【０００３】
【発明が解決しようとする課題】
ところが、上述のようにパネルの左右いずれかの側枠部材にのみナット部材を取りつけている場合には、パネルを連結する際にパネルの左右方向性を考慮して連結する必要性が生じてしまう。すなわち、例えば、連結するために隣接させたパネルの双方ともにナット部材を設けていない側部同士を隣接してしまうと、両者を連結できないため、そのたびに一方のパネルを反転させるなどしてナット部材を取り付けている方向を見極め、一方はナット部材を有する方向に、他方をナット部材を有しない方向となるように向き合わせて隣接させなければならない。
【０００４】
そこで、本発明は上記課題に着目してなされたものであり、予めナット部材を取り付けて簡易に連結可能とした可動間仕切においても、パネルの方向性を気にすることなく素早く連結できるようにすることを目的とする。
【０００５】
【課題を解決するための手段】
上記課題に鑑み、本発明は、側端面を形成する左右一対に設けた側枠部材を有する構造枠体を具備するとともに前記側枠部材内部にそれぞれナット部材を設けた複数のパネルを、一方のパネルの側枠部材にボルト部材を該パネルの内側から外側へ貫通させ、該ボルト部材を隣接するパネルの側枠部材内部のナット部材のねじ孔にねじ込んで係わり合わせることにより該ボルト部材の頭部を前記一方のパネルの側枠部材に係止させた状態で連結するパネル連結構造において、前記ボルト部材と一方のパネルに設けたナット部材との係わり合わせを退避可能な構成としている。また、本発明は、側端面を形成する左右一対に設けた側枠部材を有する構造枠体を具備するとともに前記側枠部材内部にそれぞれナット部材を設けた複数のパネルを連結してなる可動間仕切において、互いに隣接するパネルのうち一方のパネルの側枠部材にボルト部材を該パネルの内側から外側へ貫通させ、該ボルト部材を他方のパネルのナット部材のねじ孔にねじ込んで係わり合わせることにより該ボルト部材の頭部を前記一方のパネルの側枠部材に係止させて連結し、前記ボルト部材と前記一方のパネルに設けたナット部材との係わりあわせを退避可能に構成としている。これにより、予めナット部材を設けて簡単に連結できるパネル構造においても、当該パネルの方向性を考慮する手間を省いて容易に連結できるようにする。
【０００６】
また、前記ナット部材をボルトの挿入方向に回転させて退避させることにより、ボルトの挿入動作のみで簡易且つ確実にナット部材を退避できるようにしている。
【０００７】
【発明の実施の形態】
以下、本発明の一実施の形態を、図面を参照して説明する。
【０００８】
本実施の形態におけるパネルＰは、展示会場やオフィス等で空間を仕切る際に使用されるものであり、パネルの骨格を形成する構造枠体１と、この構造枠体１の表裏面に着脱可能に填め込まれるパネル要素２とを具備してなるものである。また、この複数のパネルＰを、その構造枠体１に設けたナット部材３を介してボルト部材４により面方向に連結して大きな壁面である可動間仕切Ａを形成できるようにしている。
【０００９】
図１は、二枚のパネルＰをナット部材３を用いて連結した状態を示す斜視図であり、図２は、このパネルＰを連結する工程を示す斜視図である。また、図３は、連結工程におけるナット部材３の拡大斜視図である。以下、具体的な構成について詳述する。
【００１０】
前記構造枠体１は、図１に示すようにパネルＰの側端面を形成する左右一対に設けた側枠部材１１と、この左右の側枠部材１１を連結する水平方向に取り付けた複数の横枠部材１２とを有し、これら側枠部材１１と横枠部材１２とを枠体状に連結している。
【００１１】
この側枠部材１１は、板金素材を横断面ロの字形に折り曲げて成形した中空角パイプ状のものであり、表裏面の適所にパネルを嵌め合わせるための図示しない開口部を設けており、また、その下端部にアジャスタを取り付けてパネルＰを立脚させるパネル支柱としての役割を果たしている。更に、その前後壁１１ｂの上端部及び下端部近傍に開孔を設け、後述するナット部材３を回転軸３３ｂを介して取り付けできるようにしていると共に、その側枠部材１１の内壁１１ｃ及び外壁１１ｄに後述するナット部材３の有するねじ孔より僅かに広径な開孔１１１を設け、後述するボルト部材４とナット部材３とによりパネルＰを連結できるようにしている。
【００１２】
この側枠部材１１と略同型である横枠部材１２は、縦断面ロの字形に折り曲げて成形した中空角パイプ状のものであり、表裏面の適所にパネル要素２を嵌め合わせるための図示しない開口部を設けている。また、この横枠部材１２は、左右の側端面を前記左右の側枠部材１１の内側面に当接させて、溶接等の適当手段により左右の側枠部材１１の間に跨って取り付けている。
【００１３】
なお、最上の横枠部材１２には、笠置１３を適宜手段で取り付けると共に、最下の横枠部材１２の表裏面には、巾木１４を添え付けている。
【００１４】
前記側枠部材１１と前記横枠部材１２に填め込まれるパネル要素２は、内側に図示しない合成樹脂製の爪部を有し、この爪部を前記側枠部材１１と横枠部材１２に設けた開口部に嵌め合わせて構造枠体１に対して着脱可能に取り付けできるようにしている。そして、このパネル要素２を上下方向に沿って複数枚連設することにより、前記構造枠体１の略全域を覆う構成としている。
【００１５】
このような構成からなるパネルＰにおいて、本実施の形態においては、前記側枠部材１１の上端および下端近傍位置にパネル連結用のナット部材３をパネルＰの連結前から予め取り付けている。
【００１６】
詳述すると、図３から図５に示すように、このナット部材３は、前記側枠部材１１の内方空間Ｓ内に左右側枠部材１１Ａ、１１Ｂに対して左右対称となる状態として、左右同一の高さ位置に取り付けられており、また、ボルト部材４が挿入される側、つまり左右側枠部材１１Ａ、１１Ｂの内壁１１ｃ側に形成したボルト退避部３１と、このボルト退避部３１と対向する面より水平方向に開口するねじ孔３２と、このナット部材３を側枠部材１１に取り付けるための固定部３３とを具備している。
このねじ孔３２は、ボルト退避部３１側までは貫通しないものであり、また、側枠部材１１に設けた開孔１１１と略同様の位置に設けられるものである。また、前記ボルト退避部３１は、ナット部材３の上面から下面へ向けて面一な斜片を形成しており、ボルト部材４をこの斜片に沿ってガイドさせることで当該ナット部材３を滑らかに回転させてボルト部材４から退避できるようにしている。そして、このナット部材３を側枠部材１１に取り付ける固定部３３は、前記ボルト退避部３１の上端部に設けた貫通孔３３ａおよび前記側枠部材１１の前後壁面１１ａ、１１ｂに設けた開孔に回転軸３３ｂを貫通させて、このナット部材３を前記側枠部材１１に固定するものである。また、この固定部３３をナット部材３が側枠部材１１に対して回転できる回転部とすることで、ナット部材３を前記ボルト部材挿入方向と直交する軸を中心に回転させてボルト部材４の進行経路より退避可能としている。その際、ナット部材３をこの側枠部材１１の外側方向に向かって回動できるように、このナット部材３の後端面３Ａを前記側枠部材１１の内壁１１ｃに近接して設け、前記側枠部材１１の外壁１１ｄと少し距離をおいた状態にナット部材３を取り付けている。
【００１７】
次に、二枚のパネルＰを面方向に連結する際の手順について説明する。
【００１８】
まず、側枠部材１１の外側を対向させた状態で、第一パネルＰ１と第二パネルＰ２とを隣り合わせ、隣接する第一パネルＰ１の右側枠部材１１Ａと、第二パネルＰ２の左側枠部材１１Ｂとをナット部材３とボルト部材４とを介して連結する。具体的には、左側枠部材１１Ｂに設けた開孔１１１に前記ボルト部材４を挿入し、このボルト部材４の先端部をナット部材３の後端面３Ａであるボルト退避部３１に当てる。そして、ボルト部材４の挿入に伴いナット部材３を回転軸３３を中心にボルト部材４の挿入方向と直交する方向、つまり前記側枠部材１１Ｂの外側に向かって回転させ、ボルト部材４の挿入経路から退避させる。その後、第二パネルＰ２の左側枠部材１１Ｂに設けたナット部材３のねじ孔３２にボルト部材４を係わり合わせることなく、更にボルト部材４を挿入して第一パネルＰ１に設けたナット部材３のねじ孔３２にボルト部材４をねじ込み、左右の側枠部材１１を連結する。そして、その後前記パネル要素２等の爪部を前記側枠部材１１と横枠部材１２に設けた開口部に嵌め合わせて構造枠体１にそのパネル要素２等を取り付ける。
【００１９】
以上のような構成のものであると、右側枠部材１１Ａ、及び左側枠部材１１Ｂの両者同位置にナット部材３を設けているため、パネルＰの左右方向性を考慮せず、素早く連結することができる。また、事前にナット部材３を側枠部材１１に取り付けておくため、連結時にナット部材３をいちいち用意することも、側枠部材１１の側で保持する必要もなく容易にボルト部材４を締め付けることができる。また、ナット部材３を紛失する心配もない。
【００２０】
更に、ナット部材３をボルト部材４の挿入方向に回転させて退避させることにより、ボルト部材４の挿入動作のみで簡易且つ確実にナット部材３を退避することができる。
【００２１】
他の実施の形態としては、図６から図８に示すように、左右側枠部材１１Ａ、１１Ｂの下端部に固定する土台部１００にナット部材１０３を取り付けて、ボルト部材１０４によりパネルＰを連結することもできる。尚、図６から図８には、前記実施の形態と同様の構成部分に対して同様の符号を付している。
【００２２】
具体的な構成について詳述すると、前記土台部１００は、側枠部材１１の内方枠と略同型の外周面を有し、上方に取付孔１００ａを設けることで、図６に示すように、左右側枠部材１１Ａ、１１Ｂの内包であって、下面を側枠部材１１の下面と面一になるように配置し、この土台部１００を左右側枠部材１１Ａ、１１Ｂの前壁１１ａ及び後壁１１ｂにねじ止めできるようにしている。尚、土台部１００の下面にはアジャスタ取付溝を設けてアジャスタを取り付けられるようにしている。また、図７に示すように、前後面にナット挿入孔１００ｂを貫通してねじ孔１０３ａを備えたナット部材１０３を取り付けできるようにしている。加えて、このナット挿入孔１００ｂと直交する向きであって、土台部１００の左右側面を貫通する様にボルト挿入孔１００ｃを開孔させている。このボルト挿入孔１００ｃは、後述するボルト部材１０４の先端部と略同径の挿入孔を有すると共に、この挿入孔から連続してボルト部材１０４のフランジと略同型の開孔を一側面側に貫通するように設けることで、ボルト部材１０４を前記土台部１００より突出することなく面一に挿入できるようにしている。更に、一方の側面に側面視ハの字形状のテーパ部を有するガイド部１００ｄを設け、側枠部材１１に取り付ける際には、図８に示すように、このガイド部１００ｄを左右側枠部材１１Ａ、１１Ｂの外壁側に向く状態で側枠部材１１に取り付けてボルト部材１０４をガイドできるようにしている。
【００２３】
前記ボルト部材１０４は、前記ナット部材１０３にねじ込まれるねじ山１０４ａを先端部に有すると共に、この先端部より小径であってねじ山１０４ａを有さないナット退避部１０４ｂをフランジ側に位置する基端部に形成するものである。
【００２４】
次に、パネルＰを連結する際の工程について説明すると、図８に示すように、側枠部材１１の外側を対向させた状態で、第一パネルＰ１と第二パネルＰ２とを隣り合わせ、隣接する第一パネルＰ１の右側枠部材１１Ａと、第二パネルＰ２の左側枠部材１１Ｂとをナット部材３とボルト部材４とを介して連結する。具体的には、第二パネルＰ２の左側枠部材１１Ｂに設けた開孔１１１に前記ボルト部材１０４を挿入し、左側枠部材１１Ｂに設けた土台部１００のナット部材１０３にボルト部材１０４の先端部をはめ合わせる。そして、更にこのボルト部材１０４をナット部材１０３との係り合いを無くすまで挿入して、ボルト部材１０４の基端部に設けたナット退避部１０４ｂをねじ孔１０３ａに位置させることで、一旦ボルト部材１０４とナット部材１０３との係り合いを解除した状態とする。その際、ボルト部材１０４は保持されずに自由な状態となっているため、ガイド部１００ｄの上面にボルト部材１０４を押し当てることで右側枠部材１１Ａに設けたナット部材１０３のねじ孔１０３ａに対してねじ込めるように位置決めしながら挿入していく。そして、第二パネルＰ２の左側枠部材１１Ｂに設けたナット部材１０３にボルト部材１０４のねじ山１０４ａを係わり合わせることなく、更にボルト部材１０４を挿入して第一パネルＰ１に設けたナット部材１０３のねじ孔１０３ａにボルト部材１０４の先端部をねじ込み、左右の側枠部材１１Ａ、１１Ｂを連結する。
【００２５】
なお、本発明における構成は、以上説明したものに限定されないのは勿論である。例えば、ナット部材３を側枠部材１１の内方空間Ｓに設けずに、側枠部材１１の内壁１１ｃの内側に対して着脱可能なフック部等を用いて取り付け、ボトル部材４の挿入に伴ってこのナット部材３をパネルＰから取り外す構造としても良い。その他の構成も本発明の趣旨を逸脱しない範囲で種々変形が可能である。
【００２６】
【発明の効果】
本発明は、側端面を形成する左右一対に設けた側枠部材を有する構造枠体を具備するとともに前記側枠部材内部にそれぞれナット部材を設けた複数のパネルを、一方のパネルの側枠部材にボルト部材を該パネルの内側から外側へ貫通させ、該ボルト部材を隣接するパネルの側枠部材内部のナット部材のねじ孔にねじ込んで係わり合わせることにより該ボルト部材の頭部を前記一方のパネルの側枠部材に係止させた状態で連結するパネル連結構造において、前記ボルト部材と一方のパネルに設けたナット部材との係わり合わせを退避可能に構成する。これにより、予めナット部材を設けて簡単に連結できるパネル構造においても、当該パネルの方向性を考慮する手間を省いて容易に連結できる。
【００２７】
また、前記ナット部材をボルト部材の挿入方向に回転させて退避させることにより、ボルトの挿入動作のみで簡易且つ確実にナット部材を退避できる。
【図面の簡単な説明】
【図１】本実施の形態におけるパネルを連結した斜視図。
【図２】同実施の形態におけるパネル連結工程斜視図。
【図３】同実施の形態における一部拡大斜視図。
【図４】同実施の形態における一部拡大側断面図。
【図５】同実施の形態における一部拡大平面図。
【図６】他の実施の形態におけるパネル連結工程斜視図。
【図７】他の実施の形態における土台部の斜視図。
【図８】他の実施の形態における一部拡大側断面図。
【符号の説明】
３、１０３・・・ナット部材
４、１０４・・・ボルト部材
１１Ａ・・・側部（右側枠部材）
１１Ｂ・・・側部（左側枠部材）
１０４ａ・・・ねじ山
１０４ｂ・・・ナット退避部
Ａ・・・可動間仕切
Ｐ１・・・パネル（第一パネル）
Ｐ２・・・パネル（第二パネル）
【図１】
0004916073.tif 000002
【図２】
0004916073.tif 000003
【図３】
0004916073.tif 000004
【図４】
0004916073.tif 000005
【図５】
0004916073.tif 000006
【図６】
0004916073.tif 000007
【図７】
0004916073.tif 000008
【図８】
0004916073.tif 000009